(57)【要約】    【課題】  地上波デジタルテレビジョン放送と地上波アナログテレビジョン放送の双方を受信可能な放送受信装置であって、ユーザの選局手順が簡素なものとなるような、放送受信装置を提供することである。    【解決手段】  放送受信装置が、放送受信装置のユーザが所望のチャンネルの選局を行うためのチャンネル入力手段と、所定のチャンネルに対応した周波数帯にテレビジョン放送信号があるかどうかを判断する信号検出手段と、チャンネル入力手段によって所定のチャンネルが指示されたときに、該所定のチャンネルに対応した周波数帯にテレビジョン放送信号があるかどうかを判断するよう前記信号検出手段を制御する制御手段と、信号検出手段がテレビジョン放送信号を検出すると、該テレビジョン放送信号がデジタルテレビジョン放送であるかアナログテレビジョン放送であるかどうかを判定する判定手段と、を有する。【選択図】      図２ 
2005204060.tif 000002
【特許請求の範囲】
【請求項１】
地上波デジタルテレビジョン放送と地上波アナログテレビジョン放送の双方を受信可能な放送受信装置であって、
前記放送受信装置のユーザが所望のチャンネルの選局を行うためのチャンネル入力手段と、
所定のチャンネルに対応した周波数帯にテレビジョン放送信号があるかどうかを判断する、信号検出手段と、
前記チャンネル入力手段によって所定のチャンネルが指示されたときに、該所定のチャンネルに対応した周波数帯にテレビジョン放送信号があるかどうかを判断するよう前記信号検出手段を制御する制御手段と、
前記信号検出手段がテレビジョン放送信号を検出すると、該テレビジョン放送信号がデジタルテレビジョン放送であるかアナログテレビジョン放送であるかどうかを判定する判定手段と、
を有する、放送受信装置。
【請求項２】
前記判定手段は、該テレビジョン放送信号からデジタルテレビジョン放送の伝送モードを検出し、次いで該テレビジョン放送信号の同期検出がなされ且つ該テレビジョン放送信号のビットエラーレートが所定値未満であったときに、該テレビジョン放送信号がデジタルテレビジョン放送であると判定することを特徴とする、請求項１に記載の放送受信装置。
【請求項３】
前記判定手段は、該テレビジョン放送信号からデジタルテレビジョン放送の伝送モードを検出できず、且つ前記アナログ信号の同期信号が検出されたときに、該テレビジョン放送信号がアナログテレビジョン放送であると判定することを特徴とする、請求項２に記載の放送受信装置。
【請求項４】
前記判定手段は、前記アナログ信号の同期信号が検出されたときに、該テレビジョン放送信号がアナログテレビジョン放送であると判定することを特徴とする、請求項１に記載の放送受信装置。
【請求項５】
前記判定手段は、前記アナログ信号の同期信号が検出できず、該テレビジョン放送信号からデジタルテレビジョン放送の伝送モードを検出し、次いで該テレビジョン放送信号の同期検出がなされ且つ該テレビジョン放送信号のビットエラーレートが所定値未満であったときに、該テレビジョン放送信号がデジタルテレビジョン放送であると判定することを特徴とする、請求項４に記載の放送受信装置。
【請求項６】
前記信号検出手段は、前記放送受信装置のチューナ部が検出するオートゲインコントロール値を用いて該所定のチャンネルに対応した周波数帯にテレビジョン放送信号があるかどうかを判断することを特徴とする、請求項１から請求項５のいずれかに記載の放送受信装置。
【請求項７】
前記放送受信装置は、複数のチャンネルに対して該複数のチャンネルに対応した周波数のそれぞれにテレビジョン放送信号があるかどうかを判断するよう前記信号検出手段を制御する検索手段と、
前記検索手段の判定結果に基づいて該複数のチャンネルのうち、対応する周波数帯にテレビジョン放送信号があるチャンネルの一覧を表示する検索結果表示手段と、
を有することを特徴とする、請求項１から請求項６のいずれかに記載の放送受信装置。
【請求項８】
前記放送受信装置は、前記判定手段の判定結果に基づいて、該対応する周波数帯にテレビジョン放送信号があるチャンネルのうち、該テレビジョン放送信号がアナログテレビジョン放送であるものだけが前記検索結果表示手段に表示されるよう、前記判定手段及び前記検索結果表示手段を制御する、アナログテレビジョン放送検索手段を有することを特徴とする、請求項７に記載の放送受信装置。
【請求項９】
前記放送受信装置は、前記判定手段の判定結果に基づいて、該対応する周波数帯にテレビジョン放送信号があるチャンネルのうち、該テレビジョン放送信号がデジタルテレビジョン放送であるものだけが前記検索結果表示手段に表示されるよう、前記判定手段及び前記検索結果表示手段を制御する、デジタルテレビジョン放送検索手段を有することを特徴とする、請求項７または請求項８に記載の放送受信装置。
【請求項１０】
前記放送受信装置が、移動体に搭載されることを特徴とする、請求項１から請求項９のいずれかに記載の放送受信装置。
【発明の詳細な説明】
【技術分野】
【０００１】
本発明は、地上波デジタルテレビジョン放送と地上波アナログテレビジョン放送の双方を受信可能な放送受信装置に関する。
【背景技術】
【０００２】
近年、従来のアナログテレビジョン放送に代わって、地上波デジタルテレビジョン放送が利用され始めている。デジタルテレビジョン方式は、アナログテレビジョン放送と異なり、映像/音声の劣化が起こらず、また、同一帯域で多チャンネルの放送を放映可能であるので、次世代の放送方式として期待されている。
【０００３】
しかしながら、地上波デジタルテレビジョン放送を行うためには、放送局・中継局にデジタルテレビジョン用の設備を追加する必要があり、短期間の内に既存のアナログテレビジョン放送をデジタルテレビジョン放送に切り換えることはできない。このため、アナログ→デジタルの切り換えは段階的に行われ、当面はアナログテレビジョン放送とデジタルテレビジョン放送とを並行して行う。
【０００４】
このような放送の受信には、アナログ/デジタル放送の双方を受信可能な複合型の受信装置を使用するのが有用である。このような受信装置としては、例えば特許文献１に記載の放送受信装置がある。特許文献１に記載の放送受信装置は、アナログ放送専用の受信装置とデジタル放送受信用の受信装置を組み合わせたものである。デジタル放送とアナログ放送とは、所謂サイマル放送を行っている場合が多く、デジタル放送の番組と同一の内容の番組をアナログ放送でも放送している。従って、デジタル放送が受信不可となったときは(より放送エリアの広い)アナログ放送に切り換えることにより、移動体内に居る視聴者は、デジタル放送が受信不可となっても引き続き同一内容の番組を視聴可能である。
【特許文献１】特開２００２−３７４４６６
【発明の開示】
【発明が解決しようとする課題】
【０００５】
しかしながら、特許文献１の構成においては、アナログ放送視聴時にデジタル放送に切り換える場合、或いはデジタル放送視聴時にアナログ放送に切り換える場合は、一旦アナログ/デジタル切り換えボタンを押して視聴モードを切り換え、次いで選局動作を行う必要があった。このため、選局時に受信機のユーザが行う処理が煩雑になるという問題があった。
【０００６】
特に受信装置が自動車等の移動体に搭載される場合は、移動体が走行中のエリアによって受信可能な番組が変化するため、受信可能なチャンネルを検索する機能が付いている。このような受信装置においては、ユーザが所望のチャンネルを選局するに当たって、まずデジタル／アナログ放送の一方で受信可能チャンネルの検索を行い、ここで所望のチャンネルが見つからない場合はアナログ/デジタル切り換えボタンを押して視聴モードを切り換えた後に再度受信可能チャンネルの検索を行うことになり、選局操作が一層煩雑なものとなる。
【０００７】
そこで上記事情に鑑み、本発明は、デジタル／アナログ放送の両方を受信可能な受信装置であって、且つユーザの選局手順が簡素なものとなるような、放送受信装置を提供することを目的とする。
【課題を解決するための手段】
【０００８】
上記の課題を解決するため、請求項１に記載の放送受信装置は、放送受信装置のユーザが所望のチャンネルの選局を行うためのチャンネル入力手段と、所定のチャンネルに対応した周波数帯にテレビジョン放送信号があるかどうかを判断する信号検出手段と、チャンネル入力手段によって所定のチャンネルが指示されたときに、該所定のチャンネルに対応した周波数帯にテレビジョン放送信号があるかどうかを判断するよう前記信号検出手段を制御する制御手段と、信号検出手段がテレビジョン放送信号を検出すると、該テレビジョン放送信号がデジタルテレビジョン放送であるかアナログテレビジョン放送であるかどうかを判定する判定手段と、を有する。
【０００９】
従って、放送受信装置のユーザは、所望のチャンネルを選局するに当たり、チャンネル入力手段を操作して所望のチャンネルを入力するだけでよく、選局手順が簡素なものとなる。
【００１０】
また、放送受信装置は、複数のチャンネルに対して該複数のチャンネルに対応した周波数のそれぞれにテレビジョン放送信号があるかどうかを判断するよう前記信号検出手段を制御する検索手段と、検索手段の判定結果に基づいて該複数のチャンネルのうち、対応する周波数帯にテレビジョン放送信号があるチャンネルの一覧を表示する検索結果表示手段と、を有してもよい(請求項７)。また、放送受信装置は、判定手段の判定結果に基づいて、該対応する周波数帯にテレビジョン放送信号があるチャンネルのうち、該テレビジョン放送信号がアナログテレビジョン放送であるものだけが検索結果表示手段に表示されるよう、判定手段及び検索結果表示手段を制御する、アナログテレビジョン放送検索手段を有していてもよい(請求項８)。さらに、放送受信装置は、判定手段の判定結果に基づいて、該対応する周波数帯にテレビジョン放送信号があるチャンネルのうち、該テレビジョン放送信号がデジタルテレビジョン放送であるものだけが検索結果表示手段に表示されるよう、判定手段及び検索結果表示手段を制御する、デジタルテレビジョン放送検索手段を有していてもよい(請求項９)。
【００１１】
このような構成とすると、現在受信可能なチャンネルのうち、アナログテレビジョン放送又はデジタルテレビジョン放送のうちの一方のみを抽出することが可能となり、ユーザがアナログテレビジョン放送又はデジタルテレビジョン放送のうちの一方のみの検索を希望する場合は、検索時間の短縮化が可能となる。
【発明を実施するための最良の形態】
【００１２】
図１は本発明の第１の実施形態のテレビジョン放送受信装置の概略構成を表す図である。本実施形態のテレビジョン放送受信装置は、自動車等の移動体に搭載されるものである。
【００１３】
本実施形態においては、デジタルテレビジョン放送時は、大量のデジタルデータを効率よく搬送可能な、ＯＦＤＭ(直交周波数分割)方式を採用している。
【００１４】
ＯＦＤＭ方式は、送信側でデジタル信号をシリアル−パラレル変換して複数の並列シンボルとし、さらにこれを逆フーリエ変換して複数個の異なる周波数の直交サブキャリアを得、これをＤ／Ａ変換したＯＦＤＭ信号を送信するものである。受信機側では受信したＯＦＤＭ信号をＡ／Ｄ変換した後、フーリエ変換によって並列シンボルを得、さらにこれをパラレル−シリアル変換して復号化されたデジタル信号を得るものである。ＯＦＤＭ方式に置いてはサブキャリア同士が直交しているため、サブキャリア同士の周波数帯が一部重なり合ってもよいので、限られた周波数帯で大量のデータを送信できる。
【００１５】
本実施形態の受信装置１００においては、ＯＦＤＭ信号またはアナログテレビジョン信号はアンテナ１０によって受信される。受信された信号はチューナ部２０に送られる。
【００１６】
デジタルテレビジョン放送を受信する場合は、チューナ部２０内でＰＬＬを用いたＯＦＤＭ信号の同調、帯域フィルタリング、ダウンコンバート等が行われ、ＯＦＤＭ部３０が処理しやすいアナログ信号を生成する。生成されたアナログ信号は、ＯＦＤＭ部３０ａに送られる。
【００１７】
ＯＦＤＭ部３０は、チューナ部２０から送られたアナログ信号に対して、Ａ／Ｄ変換、シリアル−パラレル変換、高速フーリエ変換を順次実施し、複数のシンボルを得る。次いで、この複数のシンボルをシングルキャリアのデータに戻す。以上の手順を経て、シングルキャリアのデータである映像情報が復号される。この映像情報はＭＰＥＧ形式のデータストリームである。次いで、復号された映像情報はＭＰＥＧ部５０に送られる。
【００１８】
ＭＰＥＧ部５０は、映像情報をアナログビデオ信号やＤＶ信号等のビデオ信号及びオーディオ信号に変換し、出力する。ＭＰＥＧ部５０には図示しないモニタおよびスピーカが接続されており、受信装置１００のユーザは、音声付き動画像を視聴できる。
【００１９】
一方、アナログ放送受信時は、チューナ部２０内で、ＰＬＬによって位相同調が行われ、次いでＡＴＶ用映像フィルタとＡＴＶ用音声フィルタによって映像信号と音声信号のフィルタリングが行われ、ＡＴＶ復調部６０に出力される。
【００２０】
ＡＴＶ復調部６０は、映像信号と音声信号をそれぞれダウンコンバートし、アナログビデオ信号等のビデオ信号及びオーディオ信号を生成する。この生成された信号は、例えばＴＳＣビデオ信号及びアナログオーディオ信号である。ＡＴＶ復調部６０には図示しないモニタおよびスピーカが接続されており、受信装置１００のユーザは、音声付き動画像を視聴できる。
【００２１】
ユーザが操作パネル７０を操作することによって、アナログテレビジョン放送及びデジタルテレビジョン放送の受信チャンネルを変更することができる。本実施形態においては、アナログテレビジョン放送とデジタルテレビジョン放送とで共通のチャンネルテーブルが設定されており、ユーザは操作パネル７０を操作してチャンネル番号を入力することによって選局動作を行う。
【００２２】
本実施形態による、選局の手順を以下に説明する。図２は、マイコン４０によって実行される選局ルーチンのフローチャートである。なお、このルーチンは、ユーザがチャンネル番号を入力することによって実行される。本ルーチンが開始すると、最初にステップＳ１０１が実行される。
【００２３】
ステップＳ１０１では、マイコン４０はチューナ部２０のＡＧＣ(オートゲインコントロール)出力を取得し、これのＡＧＣレベルのチェックを行う。ＡＧＣレベルは、受信した信号の電界強度を示す指標であり、ＡＧＣレベルが高くなるほど電界強度は大きくなる。即ち、チューナ部２０のＡＧＣレベルが小さいということは、アンテナ１０の受信した電波が弱く、従って雑音成分を多く含んでいることを意味する。ステップＳ１０１において、ＡＧＣレベルが所定の基準値を上回っているのであれば(Ｓ１０１：ＹＥＳ)、ステップＳ１０２に進む。一方、ＡＧＣレベルが所定の基準値を下回っているのであれば(Ｓ１０１：ＮＯ)、ステップＳ１１０に進み、選択したチャンネルの電波が弱いことをユーザに報知するエラーメッセージを出力し、次いで本ルーチンを終了する。なお、このメッセージは図示しないモニタに表示される文字情報でも良く、或いはスピーカから出力される音声メッセージでもよい。
【００２４】
ステップＳ１０２では、デジタルテレビジョン放送の伝送モードの検出が行われる。ここで、伝送モードが検出されなかった場合は(Ｓ１０２：ＮＯ)、マイコン４０はこのチャンネルがアナログ信号であると判断し、ステップＳ１０３に進む。
【００２５】
ステップＳ１０３では、アナログ信号の同期信号の検出が行われる。一定期間内(例えば０．１秒)に検出された同期信号のパルス数が所定個数以上であれば(Ｓ１０３：ＹＥＳ)、アナログテレビジョン放送の復調が可能であると判断し、ステップＳ１０４に進む。
【００２６】
ステップＳ１０４では、マイコン４０はチューナ部２０、ＡＴＶ復調部６０を制御してアナログ信号の復調を開始し、次いで本ルーチンを終了する。かくしてモニタ及びスピーカから映像及び音声が出力され、ユーザは番組を視聴可能となる。
【００２７】
一方、ステップＳ１０３において、一定期間内に検出された同期信号のパルス数が所定個数未満であれば(Ｓ１０３：ＮＯ)、アナログテレビジョン放送の復調が不可能であると判断し、ステップＳ１０５に進み、選択したチャンネルを復調できないことをユーザに報知するエラーメッセージを出力し、次いで本ルーチンを終了する。なお、このメッセージは図示しないモニタに表示される文字情報でも良く、或いはスピーカから出力される音声メッセージでもよい。
【００２８】
一方、ステップＳ１０２において伝送モードが検出された場合は(Ｓ１０２：ＹＥＳ)、マイコン４０はこのチャンネルがＯＦＤＭ信号であると判断し、ステップＳ１２０に進む。
【００２９】
ステップＳ１２０では、マイコン４０は、ＯＦＤＭ信号のＦＦＴ(高速フーリエ変換)の窓位置、ＡＦＣ(周波数制御)の誤差、同期ワード等を確認し、ＯＦＤＭ信号の同期が成立しているかどうかのチェックを行う。同期が成立していると判断された場合は(Ｓ１２０：ＹＥＳ)、ステップＳ１２１に進む。一方、同期が成立していないと判断された場合は(Ｓ１２０：ＮＯ)、ステップＳ１２３に進み、信号の復調ができないことをユーザに報知するエラーメッセージを出力し、次いで本ルーチンを終了する。なお、このメッセージは図示しないモニタに表示される文字情報でも良く、或いはスピーカから出力される音声メッセージでもよい。
【００３０】
ステップＳ１２１では、ＢＥＲ(ビットエラーレート)の算出が行われる。ここで、ＢＥＲが一定基準（例えば10-2）を上回っている場合は、信号の劣化が大きいものと判断し(Ｓ１２１：ＮＯ)、ステップＳ１２３に進み、信号の復調ができないことをユーザに報知するエラーメッセージを出力し、次いで本ルーチンを終了する。
【００３１】
一方、ステップＳ１２１においてＢＥＲが上記一定基準を下回っている場合は、信号の劣化がほとんど無いものと判断し(Ｓ１２１：ＹＥＳ)、ステップＳ１２２に進む。ステップＳ１２２では、マイコン４０はチューナ部２０、ＯＤＦＭ部３０、ＭＰＥＧ部５０を制御してＯＤＦＭ信号の復調を開始し、次いで本ルーチンを終了する。かくしてモニタ及びスピーカから映像及び音声が出力され、ユーザは番組を視聴可能となる。
【００３２】
以上のように、本実施形態によれば、ユーザが所望のチャンネル番号を入力すると、そのチャンネル番号に操作等する放送がアナログであるかデジタルであるかを自動的に検出し、画像信号及び音声信号がモニタ及びスピーカから出力されるようになる。
【００３３】
本実施形態の受信装置１００は、自動車等の移動体に搭載されるものであるため、移動体の位置によって受信可能なチャンネルが異なる。そこで、本実施形態においては、現在受信可能なチャンネルを検索可能となっている。チャンネルの検索は、ユーザが操作パネル７０を操作することによって実施される。なお、チャンネルの検索は、「アナログテレビジョン放送のみを検索」「デジタルテレビジョン放送のみを検索」「アナログテレビジョン放送とデジタルテレビジョン放送の両方を検索」の３つの検索モードのいずれかをユーザが選択可能となっている。
【００３４】
本実施形態による、チャンネル検索の手順を以下に説明する。図３は、マイコン４０によって実行されるチャンネル検索ルーチンのフローチャートである。本ルーチンが開始すると、ステップＳ２０１が実行される。
【００３５】
ステップＳ２０１では、検索モードが「アナログテレビジョン放送のみを検索」かどうかの判定が行われる。検索モードが「アナログテレビジョン放送のみを検索」であれば(Ｓ２０１：ＹＥＳ)、ステップＳ２０２に進む。
【００３６】
ステップＳ２０２では、所定の順番に従って、受信可能かどうかの判別を行うチャンネルが選択される。次いでステップＳ２０３に進む。
【００３７】
ステップＳ２０３では、マイコン４０はチューナ部２０のＡＧＣ出力を取得し、これのＡＧＣレベルのチェックを行う。ＡＧＣレベルが所定の基準値を上回っているのであれば(Ｓ２０３：ＹＥＳ)、ステップＳ２０４に進む。一方、ＡＧＣレベルが所定の基準値を下回っているのであれば(Ｓ２０３：ＮＯ)、ステップＳ２０６に進む。
【００３８】
ステップＳ２０４では、アナログ信号の同期信号の検出が行われる。一定期間内(例えば０．１秒)に検出された同期信号のパルス数が所定個数以上であれば(Ｓ２０４：ＹＥＳ)、アナログテレビジョン放送の復調が可能であると判断し、ステップＳ２０５に進む。
【００３９】
ステップＳ２０５では、ステップＳ２０２で選択されたチャンネル番号がマイコン４０のメモリに記録される。次いで、ステップＳ２０６に進む。
【００４０】
一方、ステップＳ２０４において、一定期間内に検出された同期信号のパルス数が所定個数未満であれば(Ｓ２０４：ＮＯ)、アナログテレビジョン放送の復調が不可能であると判断し、ステップＳ２０６に進む。
【００４１】
ステップＳ２０６では、他に検索を行うべきチャンネルがまだ残っているかどうかの判定が行われる。他に検索を行うべきチャンネルがまだ残っているのであれば(Ｓ２０６：ＹＥＳ)、ステップＳ２０２に戻り、他のチャンネルについてそのチャンネルが受信可能かどうかの判別が行われる。他に検索を行うべきチャンネルが残っていないのであれば(Ｓ２０６：ＮＯ)、ステップＳ２４０に進む。
【００４２】
以上のように、ステップＳ２０２−Ｓ２０６のループによって、全てのアナログテレビジョン放送のチャンネルの夫々について、それが受信可能かどうかの判別が行われ、受信可能なチャンネル番号がメモリに記録される。
【００４３】
一方、ステップＳ２０１において検索モードが「アナログテレビジョン放送のみを検索」で無ければ(Ｓ２０１：ＮＯ)、ステップＳ２１１に進む。
【００４４】
ステップＳ２１１では、検索モードが「デジタルテレビジョン放送のみを検索」かどうかの判定が行われる。検索モードが「デジタルテレビジョン放送のみを検索」であれば(Ｓ２１１：ＹＥＳ)、ステップＳ２１２に進む。
【００４５】
ステップＳ２１２では、所定の順番に従って、受信可能かどうかの判別を行うチャンネルが選択される。次いでステップＳ２１３に進む。
【００４６】
ステップＳ２１３では、マイコン４０はチューナ部２０のＡＧＣ出力を取得し、これのＡＧＣレベルのチェックを行う。ＡＧＣレベルが所定の基準値を上回っているのであれば(Ｓ２１３：ＹＥＳ)、ステップＳ２１４に進む。一方、ＡＧＣレベルが所定の基準値を下回っているのであれば(Ｓ２１３：ＮＯ)、ステップＳ２１７に進む。
【００４７】
ステップＳ２１４では、マイコン４０は、ＯＦＤＭ信号の同期が成立しているかどうかのチェックを行う。同期が成立していると判断された場合は(Ｓ２１４：ＹＥＳ)、ステップＳ２１５に進む。一方、同期が成立していないと判断された場合は(Ｓ２１４：ＮＯ)、ステップＳ２１７に進む。
【００４８】
ステップＳ２１５では、ＢＥＲの算出が行われる。ここで、ＢＥＲが一定基準（例えば10-2）を上回っている場合は、信号の劣化が大きいものと判断し(Ｓ２１５：ＮＯ)、ステップＳ２１７に進む。
【００４９】
一方、ステップＳ２１５においてＢＥＲが上記一定基準を下回っている場合は、信号の劣化がほとんど無いものと判断し(Ｓ２１５：ＹＥＳ)、ステップＳ２１６に進む。
【００５０】
ステップＳ２１６では、ステップＳ２１２で選択されたチャンネル番号がマイコン４０のメモリに記録される。なお、同一チャンネルに複数の番組が多重化されている場合は、チャンネルに番号に加えて多重化された番組全てのIDがメモリに記録される。次いで、ステップＳ２１７に進む。
【００５１】
ステップＳ２１７では、他に検索を行うべきチャンネルがまだ残っているかどうかの判定が行われる。他に検索を行うべきチャンネルがまだ残っているのであれば(Ｓ２１７：ＹＥＳ)、ステップＳ２１２に戻り、他のチャンネルについてそのチャンネルが受信可能かどうかの判別が行われる。他に検索を行うべきチャンネルが残っていないのであれば(Ｓ２１７：ＮＯ)、ステップＳ２４０に進む。
【００５２】
以上のように、ステップＳ２１２−Ｓ２１７のループによって、全てのデジタルテレビジョン放送のチャンネルの夫々について、それが受信可能かどうかの判別が行われ、受信可能なチャンネル番号がメモリに記録される。
【００５３】
一方、ステップＳ２１１において検索モードが「デジタルテレビジョン放送のみを検索」で無ければ(Ｓ２１１：ＮＯ)、即ち検索モードが「アナログテレビジョン放送とデジタルテレビジョン放送の両方を検索」であれば、ステップＳ２２１に進む。
【００５４】
ステップＳ２２１では、所定の順番に従って、受信可能かどうかの判別を行うアナログテレビジョン放送のチャンネルが選択される。次いでステップＳ２２２に進む。
【００５５】
ステップＳ２２２では、マイコン４０はチューナ部２０のＡＧＣ出力を取得し、これのＡＧＣレベルのチェックを行う。ＡＧＣレベルが所定の基準値を上回っているのであれば(Ｓ２２２：ＹＥＳ)、ステップＳ２２３に進む。一方、ＡＧＣレベルが所定の基準値を下回っているのであれば(Ｓ２２２：ＮＯ)、ステップＳ２２５に進む。
【００５６】
ステップＳ２２３では、アナログ信号の同期信号の検出が行われる。一定期間内(例えば０．１秒)に検出された同期信号のパルス数が所定個数以上であれば(Ｓ２２３：ＹＥＳ)、アナログテレビジョン放送の復調が可能であると判断し、ステップＳ２２４に進む。
【００５７】
ステップＳ２２４では、ステップＳ２２１で選択されたチャンネル番号がマイコン４０のメモリに記録される。次いで、ステップＳ２２５に進む。
【００５８】
一方、ステップＳ２２３において、一定期間内に検出された同期信号のパルス数が所定個数未満であれば(Ｓ２２３：ＮＯ)、アナログテレビジョン放送の復調が不可能であると判断し、ステップＳ２２５に進む。
【００５９】
ステップＳ２２５では、他に検索を行うべきアナログテレビジョン放送のチャンネルがまだ残っているかどうかの判定が行われる。他に検索を行うべきチャンネルがまだ残っているのであれば(Ｓ２２５：ＹＥＳ)、ステップＳ２２１に戻り、他のアナログテレビジョン放送のチャンネルについてそのチャンネルが受信可能かどうかの判別が行われる。他に検索を行うべきチャンネルが残っていないのであれば(Ｓ２２５：ＮＯ)、ステップＳ２２６に進む。
【００６０】
ステップＳ２２６では、所定の順番に従って、受信可能かどうかの判別を行うチャンネルが選択される。次いでステップＳ２２７に進む。
【００６１】
ステップＳ２２７では、マイコン４０はチューナ部２０のＡＧＣ出力を取得し、これのＡＧＣレベルのチェックを行う。ＡＧＣレベルが所定の基準値を上回っているのであれば(Ｓ２２７：ＹＥＳ)、ステップＳ２２８に進む。一方、ＡＧＣレベルが所定の基準値を下回っているのであれば(Ｓ２２７：ＮＯ)、ステップＳ２３１に進む。
【００６２】
ステップＳ２２８では、マイコン４０は、ＯＦＤＭ信号の同期が成立しているかどうかのチェックを行う。同期が成立していると判断された場合は(Ｓ２２８：ＹＥＳ)、ステップＳ２２９に進む。一方、同期が成立していないと判断された場合は(Ｓ２２８：ＮＯ)、ステップＳ２３１に進む。
【００６３】
ステップＳ２２９では、ＢＥＲの算出が行われる。ここで、ＢＥＲが一定基準（例えば10-2）を上回っている場合は、信号の劣化が大きいものと判断し(Ｓ２２９：ＮＯ)、ステップＳ２３１に進む。
【００６４】
一方、ステップＳ２２９においてＢＥＲが上記一定基準を下回っている場合は、信号の劣化がほとんど無いものと判断し(Ｓ２２９：ＹＥＳ)、ステップＳ２３０に進む。
【００６５】
ステップＳ２３０では、ステップＳ２２６で選択されたチャンネル番号がマイコン４０のメモリに記録される。なお、同一チャンネルに複数の番組が多重化されている場合は、チャンネルに番号に加えて多重化された番組全てのIDがメモリに記録される。次いで、ステップＳ２３１に進む。
【００６６】
ステップＳ２３１では、他に検索を行うべきデジタルテレビジョン放送のチャンネルがまだ残っているかどうかの判定が行われる。他に検索を行うべきチャンネルがまだ残っているのであれば(Ｓ２３１：ＹＥＳ)、ステップＳ２２６に戻り、他のチャンネルについてそのチャンネルが受信可能かどうかの判別が行われる。他に検索を行うべきチャンネルが残っていないのであれば(Ｓ２３１：ＮＯ)、ステップＳ２４０に進む。
【００６７】
以上のように、ステップＳ２２１−Ｓ２３１のループによって、全てのアナログ及びデジタルテレビジョン放送のチャンネルの夫々について、それが受信可能かどうかの判別が行われ、受信可能なチャンネル番号がメモリに記録される。
【００６８】
ステップＳ２４０では、ステップＳ２０５、Ｓ２１６、Ｓ２２４、Ｓ２３０で記録されたチャンネル番号がモニタに出力され、次いで本ルーチンは終了する。かくして、ユーザは現在受信可能なチャンネル番号の一覧を得ることができる。
【００６９】
本実施形態においては、ユーザが検索モードを指定可能であるため、例えば受信装置を搭載した移動体がデジタルテレビジョン放送のサービス圏外に有ることがあらかじめ分かっている場合は、検索モードを「アナログテレビジョン放送のみを検索」とすることにより、検索時間の短縮化が可能となる。
【００７０】
以上説明した本発明の第１の実施形態においては、デジタルテレビジョン放送の伝送モードの検出を先に行い、伝送モードが検出されなかった場合にアナログテレビジョン信号が復調可能かどうかの判定を行っている。一方、本発明の第２の実施形態は、アナログテレビジョン信号が復調可能かどうかの判定を行った後に、デジタルテレビジョン信号が復調可能かどうかの判定を行うものである。
【００７１】
本発明の第２の実施形態に付き以下説明する。なお、本実施形態の装置の構成第１の実施形態と同一であるので説明は省略する。
【００７２】
本実施形態による、選局の手順を以下に説明する。図４は、マイコン４０によって実行される選局ルーチンのフローチャートである。なお、このルーチンは、ユーザがチャンネル番号を入力することによって実行される。本ルーチンが開始すると、最初にステップＳ
３０１が実行される。
【００７３】
ステップＳ３０１では、マイコン４０はチューナ部２０のＡＧＣ出力を取得し、これのＡＧＣレベルのチェックを行う。ステップＳ３０１において、ＡＧＣレベルが所定の基準値を上回っているのであれば(Ｓ３０１：ＹＥＳ)、ステップＳ３０２に進む。一方、ＡＧＣレベルが所定の基準値を下回っているのであれば(Ｓ３０１：ＮＯ)、ステップＳ３１０に進み、選択したチャンネルの電波が弱いことをユーザに報知するエラーメッセージを出力し、次いで本ルーチンを終了する。なお、このメッセージは図示しないモニタに表示される文字情報でも良く、或いはスピーカから出力される音声メッセージでもよい。
【００７４】
ステップＳ３０２では、アナログ信号の同期信号の検出が行われる。一定期間内(例えば０．１秒)に検出された同期信号のパルス数が所定個数以上であれば(Ｓ３０２：ＹＥＳ)、アナログテレビジョン放送の復調が可能であると判断し、ステップＳ３０３に進む。
【００７５】
ステップＳ３０３では、マイコン４０はチューナ部２０、ＡＴＶ復調部６０を制御してアナログ信号の復調を開始し、次いで本ルーチンを終了する。かくしてモニタ及びスピーカから映像及び音声が出力され、ユーザは番組を視聴可能となる。
【００７６】
一方、ステップＳ３０２において、一定期間内に検出された同期信号のパルス数が所定個数未満であれば(Ｓ３０２：ＮＯ)、マイコン４０はこのチャンネルがＯＦＤＭ信号であると判断し、ステップＳ３２１に進む。
【００７７】
ステップＳ３２１では、デジタルテレビジョン放送の伝送モードの検出が行われる。ここで、伝送モードが検出されなかった場合は(Ｓ３２１：ＮＯ)、ステップＳ３２５に進み、信号の復調ができないことをユーザに報知するエラーメッセージを出力し、次いで本ルーチンを終了する。なお、このメッセージは図示しないモニタに表示される文字情報でも良く、或いはスピーカから出力される音声メッセージでもよい。
【００７８】
一方、ステップＳ３２１において伝送モードが検出された場合は(Ｓ３２１：ＹＥＳ)、マイコン４０はこのチャンネルがＯＦＤＭ信号であると判断し、ステップＳ３２２に進む。
【００７９】
ステップＳ３２２では、マイコン４０は、ＯＦＤＭ信号の同期が成立しているかどうかのチェックを行う。同期が成立していると判断された場合は(Ｓ３２２：ＹＥＳ)、ステップＳ３２３に進む。一方、同期が成立していないと判断された場合は(Ｓ３２３：ＮＯ)、ステップＳ３２５に進み、信号の復調ができないことをユーザに報知するエラーメッセージを出力し、次いで本ルーチンを終了する。
【００８０】
ステップＳ３２３では、ＢＥＲ(ビットエラーレート)の算出が行われる。ここで、ＢＥＲが一定基準（例えば10-2）を上回っている場合は、信号の劣化が大きいものと判断し(Ｓ３２３：ＮＯ)、ステップＳ３２５に進み、信号の復調ができないことをユーザに報知するエラーメッセージを出力し、次いで本ルーチンを終了する。
【００８１】
一方、ステップＳ３２３においてＢＥＲが上記一定基準を下回っている場合は、信号の劣化がほとんど無いものと判断し(Ｓ３２３：ＹＥＳ)、ステップＳ３２４に進む。ステップＳ３２４は、マイコン４０はチューナ部２０、ＯＤＦＭ部３０、ＭＰＥＧ部５０を制御してＯＤＦＭ信号の復調を開始し、次いで本ルーチンを終了する。かくしてモニタ及びスピーカから映像及び音声が出力され、ユーザは番組を視聴可能となる。
【００８２】
以上のように、本実施形態によっても、ユーザが所望のチャンネル番号を入力すると、そのチャンネル番号に操作等する放送がアナログであるかデジタルであるかを自動的に検出し、画像信号及び音声信号がモニタ及びスピーカから出力されるようになる。また、デジタルテレビジョンの伝送モードの検出よりもアナログテレビジョンの同期検出の方が速いため、本実施形態では、特にデジタルテレビジョン放送のサービス圏外では選局がより高速に行われる。
【００８３】
なお、本実施形態においても、第１の実施形態と同様の受信可能チャンネルの検索が可能であることはいうまでもない。
【図面の簡単な説明】
【００８４】
【図１】本発明の第１の実施形態のテレビジョン放送受信装置の概略構成を表す図である。
【図２】本発明の第１の実施形態による、選局ルーチンのフローチャートである。
【図３】本発明の第１の受信可能チャンネルの検索ルーチンのフローチャートである。
【図４】本発明の第２の実施形態による、選局ルーチンのフローチャートである。
【符号の説明】
【００８５】
１０            アンテナ
２０            チューナ部
３０            ＯＦＤＭ部
４０            マイコン
５０            ＭＰＥＧ部
６０            ＡＴＶ復調部
７０            操作パネル
１００            放送受信装置
【図１】
2005204060.tif 000003
【図２】
2005204060.tif 000004
【図３】
2005204060.tif 000005
【図４】
2005204060.tif 000006